(57)【要約】      （修正有）【課題】住宅等の侵入警報装置において、住人か侵入犯かを区分する時間を確保でき、装置を収容する筐体を短時間で開けられ中の部分を触られる可能性を防止する。【解決手段】在宅判定スイッチと扉スイッチの信号で作動する記憶型侵入警報装置を収容する上蓋と下蓋から成る筐体を結合するネジにネジ栓を取り付け、筐体を開く時間が長くなるようにし、規定時間内では筐体を開けれなくした。また、在宅判定スイッチと扉スイッチの信号で作動する記憶型侵入警報装置を収容する上蓋と下蓋から成る筐体の見やすい面に固有シ−トを貼り付ける事で、多量生産され同一の物を一個しかない物に換え、持参した物と交換してもすぐ判るようにした。【選択図】図１
2008140354.tif 000002
【特許請求の範囲】
【請求項１】
在宅判定スイッチと扉スイッチの信号で作動する記憶型侵入警報装置を収容する上蓋と下蓋から成る筐体であって、上蓋と下蓋を結合するネジにネジ栓を取り付け、筐体を開く時間が長くなる事を特徴とする記憶型侵入警報装置の筐体。
【請求項２】
請求項１であって、
ネジ栓が裏面に接着剤が付けられたネジ栓シ−トであることを特徴とする記憶型侵入警報装置の筐体。
【請求項３】
在宅判定スイッチと扉スイッチの信号で作動する記憶型侵入警報装置を収容する上蓋と下蓋から成る筐体であって、筐体の見やすい面に固有シ−トを貼り付ける為の接着シ−トを有している事を特徴とする記憶型侵入警報装置の筐体。
【請求項４】
請求項３であって、
固有シ−トを剥がすのを、困難又は固有シ−トに傷が付かざるをえなくする事を目的に固有シ−トより僅かに大きい寸法の包囲壁を有する事を特徴とする記憶型侵入警報装置の筐体。
【発明の詳細な説明】
【技術分野】
【０００１】  本発明は、正当な使用者以外の者が使用者不在の時に、家屋、居室へ侵入し、物品の盗難、不正コピ−などを行う犯罪を早期発見し、適切な対策を可能とする。また、帰宅時に警報音が聞こえる事から、犯人が室内に隠れて居る所へ入り人身災害に発展する事を予防する防犯機器に関連する。
【背景技術】
【０００２】  家屋やマンション等の居室に合鍵を使用したりいわゆるピッキング等の痕跡の残らない手口で侵入し、貯金通帳や金品を盗んだ後に物色の跡が残らないようにきれいな状態で逃げ去られると、例えば預金通帳を使おうとするまで被害に気付かないといった事件が多い、まして、カ−ドの情報等、物品を伴なわない情報のみの犯罪は発見が極めて困難である。
また、痴漢等不在時に室内に侵入し、女性住人の帰宅を室内に隠れて待ち、犯行におよぶ人身災害にも十分に注意を要する時代になった。【０００３】本件出願人は犯罪防止の封印装置等に関し種種の提案をして来た、例えば特許、第３４７８８１８号「封印装置」は本件の発明と同一目的の家屋、居室への侵入を知らせるものを含んでいる。その要旨は扉が開けられた信号の後の制限時間内に暗証信号が無ければ「侵入」と判断し電源を断にしても消去できない記憶素子に記憶させ、かつ、警報を発する。警報は他の暗証で消去でき、警報も止める事が出来る。と言うものである。侵入犯罪防止は少しずつ認識され、一部製品が市販されはじめている。【０００４】  が、本件出願人の発明にも市販されている製品にも課題が残されている。その内容は
（１）侵入記憶が暗証番号といえども消せる事自体課題である。侵入犯が室内に隠れ待ち痴漢、殺人等人災犯罪を行う可能性があることから、侵入記憶は住人が帰宅するまでの時間（例えば２４時間）はいかなる方法でも消せるべきでない。物理的に破壊して消しても住人が帰宅し扉を開くと同時に破壊が判る技術に発展させるべきである。【０００５】（２）利用者の老齢化、および、いかなる人にも簡単に使えるには暗証番号は簡単とは言い難い。より、簡単、確実で、かつ広く利用される為には安価さも満たす住人と侵入者の区分方法が必要である。
（３）住人か侵入犯かを区分するまでの時間（本件では規定時間と言う）は侵入警報装置に関る避けれない問題であるが、その時間内に電源を断にする、又は、区分判定の信号を強制的に入力されると記憶が作れないと言う問題があった。すなわち、装置を収容する筐体は短時間で開けられ中の部分を触られる可能性があってはならないと言う問題が残されていた。【０００６】（４）上記（３）と関連し、電池交換を実質的になしに出来る程に電流消費を少なくし、装置を収容する筐体を溶着する。または、めったに電池交換を必要としないから筐体を開くのに長い時間が掛かっても問題としない程に電流消費を少なくする技術を必要としていた。
（５）上記（４）で余りにも電池交換の時期が長くなると、電池消耗を知らせる機能が無いと、いざ、警報を長時間（２４時間）鳴らし続け住人が帰宅するまでに電池が空になると言う問題がある。すなわち、電池消耗を知らせる機能を必要とする問題がある。
（６）侵入者は強力磁石で扉スイッチを不作動にしたり、強力電波で不作動を企てたりする。不正への耐性を一層向上させる必要がある。
（７）侵入犯罪はめったに無い。結果、購入意欲が低く犯罪防止に重要でありながら、広まらない。日常生活に有用な機能を追加して購入、利用を促す機能追加も必要としていた。【０００７】（８）上記（１）〜（７）の課題を解決してもさらに本質的な課題が有る。それは、本件の警報装置も他の警報装置も工業製品として同一の物を大量に生産、利用される事を前提にしているが、侵入者が設置されている物と同一の物を持参して侵入し、取り替えて帰った場合発見がしずらいと言う問題である。勿論、暗証番号とか、本件の錠付きスイッチで異品はすぐ判ると通常は考えるが、犯罪を行う者はどんな暗証番号でも受け付けるようにするとか、どんな鍵にでも受け付けるようにするとかの改造を行う能力が有ると考える必要がある。日々使い慣れた住人は正常に受付れば異常を感じず、発見が遅れるという問題がある。
【発明の開示】
【発明が解決しようとする課題】
【０００８】
【０００９】  本発明が解決しようとする課題は、［背景技術］でも述べた（１）〜（８）の（１）（２）（４）〜（７）を除く２個の課題を解決する事である。なを、（１）（２）（４）〜（７）の課題は本出願人が別出願の「記憶型侵入警報装置」で解決手段を開示した。
（１）住人か侵入犯かを区分するまでの時間（本件では規定時間と言う）は侵入警報装置に関る避けれない問題であるが、その時間内に電源を断にする、又は、区分判定の信号を強制的に入力されると記憶が作れないと言う問題があった。すなわち、装置を収容する筐体は短時間で開けられ中の部分を触られる可能性があってはならないと言う問題が残されていた。
（２）本件の警報装置も他の警報装置も工業製品として同一の物を大量に生産、利用される事を前提にしているが、侵入者が設置されている物と同一の物を持参して侵入し、取り替えて帰った場合発見がしずらいと言う問題である。勿論、暗証番号とか、本件の錠付きスイッチで異品はすぐ判ると通常は考えるが、犯罪を行う者はどんな暗証番号でも受け付けるようにするとか、どんな鍵にでも受け付けるようにするとかの改造を行う能力が有ると考える必要がある。日々使い慣れた住人は正常に受付れば異常を感じず、発見が遅れるという問題がある。
上記（１）（２）が、解決しようとする課題である。
【課題を解決する為の手段】
【００１０】  請求項１の記憶型侵入警報装置の筐体は、在宅判定スイッチと扉スイッチの信号で作動する記憶型侵入警報装置を収容する上蓋と下蓋から成る筐体であって、上蓋と下蓋を結合するネジにネジ栓を取り付け、筐体を開く時間が長くなる事を特徴とする記憶型侵入警報装置の筐体であるから、住人か侵入犯かを区分するまでの１０秒とか２０秒の規定時間内に筐体を開け、電源を断にする、又は、区分判定の信号を強制的に入力させて記憶を作れなくする事を不可能とする。よって課題（１）を解決する効用がある。
【０００１１】  請求項２の記憶型侵入警報装置の筐体は、在宅判定スイッチと扉スイッチの信号で作動する記憶型侵入警報装置を収容する上蓋と下蓋から成る筐体であって、上蓋と下蓋を結合するネジにネジ栓を取り付け、筐体を開く時間が長くなる事を特徴とする記憶型侵入警報装置の筐体であって、ネジ栓が裏面に接着剤が付けられたネジ栓シ−トであることを特徴とする記憶型侵入警報装置の筐体であるから、取り付ける時は短時間で、剥がす時は個々の剥がしの為長時間となり課題（１）を解決する効用があると共に作業性が良いという効用がある。
【００１２】  請求項３の記憶型侵入警報装置の筐体は、在宅判定スイッチと扉スイッチの信号で作動する記憶型侵入警報装置を収容する上蓋と下蓋から成る筐体であって、筐体の見やすい面に固有シ−トを貼り付ける為の接着シ−トを有している事を特徴とする記憶型侵入警報装置の筐体であるから、大量生産され、どこでも手に入る警報装置であっても、住人個人個人しか持ちえない写真、印刷物等の固有シ−トを貼り付けることで、１つより世の中に無い物に変える事ができる。よって、侵入者が同一の物を持参し交換することを不能にし、課題（２）の問題を解決する効用がある。
【００１３】  請求項４の記憶型侵入警報装置の筐体は、在宅判定スイッチと扉スイッチの信号で作動する記憶型侵入警報装置を収容する上蓋と下蓋から成る筐体であって、筐体の見やすい面に固有シ−トを貼り付ける為の接着シ−トを有している事を特徴とする記憶型侵入警報装置の筐体であって、固有シ−トを剥がすのを、困難又は固有シ−トに傷が付かざるをえなくする事を目的に固有シ−トより僅かに大きい寸法の包囲壁を有する事を特徴とする記憶型侵入警報装置の筐体であるから、固有シ−トをナイフ等で剥がし、持参した交換用の警報装置に張り直しても固有シ−トに傷が付き、住人が異品とすぐ気が付く効果があり、結果、課題（２）の問題を解消する。
【発明を実施する為の最良の形態】
【００１４】
【００１５】  図１は本発明の実施例を説明する図面であり、図（ａ）は上蓋の一部を破断した正面図であり、図（ｂ）は中心部での断面を示す側面図であり、図（ｃ）は錠付きスイッチを説明する為の部分図である。筐体１は上蓋２と下蓋３が複数のネジ４で固着され、内部にはマイクロコンピュ−タ−（以後マイコンとも言う）６、ＬＥＤ７、スピ−カ−（警報器とも言う）８、リ−ドスイッチ９等が実装されたプリント基板５が収められている。
筐体１の外部には磁石１０が有り、筐体１と磁石１０は家屋の可動する扉と固定側とに各々取り付けられ、扉の開閉を検知する扉スイッチ１１を構成している。上蓋２には錠外筒１３ａが固着され、錠外筒１３ａ内には鍵１２によって回転する錠内筒１３ｂがあり、錠内筒１３ｂには操作悍１３ｃが固着され鍵１２の回転で操作悍１３ｃも回転する。プリント基板５には接点部５ａと５ｂが銅箔として作られており、燐青銅等から作られた接点板１３ｄがその一端を接点部５ａにカシメ、又はハンダ付けで固着され、他端が操作悍１３ｃの影響で接点部５ｂに接したり、離れたりする様に作られている。その様子は図（ｃ）に示す通りであるが、操作悍１３ｃが図の左の位置、鍵１２が水平の位置では、接点板１３ｄは外力を受けず、自体の曲げ加工の形から同図の下の位置を取る。鍵１２が時計方向に回転されると、操作悍１３ｃは接点板１３ｄと接するようになり、その後順次、接点板１３ｄを押し上げ、撓みを与え先端部は接点部５ｂに接する。同図の上がその状態を示す。この状態で操作悍１３ｃが安定に止まるために接点板１３ｄには係止突起が設けられている。上記錠外筒１３ａ、錠内筒１３ｂ，操作悍１３ｃ，接点板１３ｄ，接点部５ａ，５ｂを含め錠付きスイッチ１３と言う。筐体１内には電源である電池１４があり、遮磁板１５も収められおり、下蓋２には取り付け用の両面接着テ−プ１６が付けられている。図示されていないが磁石１０にも取り付け用両面接着テ−プが付いている。
【００１６】  上蓋２には一段下がった領域が作られ、その領域には接着シ−ト３４が取り付けられ、接着シ−ト３４には住人個々より持ちえない写真、プリント画像等の固有シ−ト３３が貼り付けられている。上蓋２の面と一段下がった領域の面を繋ぐ面を包囲壁２ａと言い、包囲壁２ａで囲われた大きさは固有シ−ト３３の大きさより僅かに大きく、かつ、包囲壁の深さはナイフ先端、マイナスドライバ−先端で固有シ−トを剥がすのが困難な深さに作られている。また、ネジ４にはネジ栓３２が各々付けられている。
【００１７】  図２はネジ栓を説明する為の裏面図および断面図であり、下蓋３はネジ４で上蓋２に６個のネジで固着されているが、ネジ栓３２でカバ−されネジ４は見えなくなっている。ここで用いられているネジ栓は図３の（ａ１）（ａ２）で示される物であり、接着剤３２ｂが付着されたアルミシ−ト３２ａが剥離紙３２ｃと共にプレス打ち抜きされ使用前には一体であり、ネジ４と同一ピッチでネジ栓３２が作られていることから、アルミシ−ト３２ａを剥離紙３２ｃを剥がし下蓋３の突起状リブである保護壁３ａ内に押し圧し、保護壁３ａの開口部である剥離窓３ｂからアルミシート３２ａを針状の道具で除去すると３個のネジ栓３２が独立に接着状態で残る。結果、取り付け時は簡単に、ネジを除去する時には１つ１つのネジ栓を除去し、ドライバ−でネジを除去する作業となり、長い時間が必要となる。
なを、図３の（ａ１）（ａ２）で示すネジ栓３２をシ−ト状であることからネジ栓シ−トと言う。
【００１８】  図３の（ｂ１）（ｂ２）は他のネジ栓を説明する図であり、上蓋２は下蓋３とネジ４で固着され、ネジ４の頭部を避けるネジ用凹部３５ｂを３個持ち、ネジ栓固定ネジ用凹部３５ａを２個有する板状のネジ栓３５がネジ栓固定ネジ３６で固定されているのを示す。
なを、ネジ栓固定ネジ３６を避ける為、上蓋２に凹部２ｂが設けられる。
図３の（ｃ）も他のネジ栓を示す図であり、ネジ４の頭部に溶けた蝋を流して作ったネジ栓３７を示す。溶けた蝋の為、ドライバ−の先端は契合せずネジは除去できず、過熱して蝋を流出除去しないと筐体は開けられない。
【００１９】  次に図４を用いて回路図の説明を行う。電池１４の＋極はマイコン６の電源端子６ａへ、同−極はグランド端子６ｂに結ばれている。マイコン６は例えばマイクロチップ社のＰＩＣ１６Ｆ８４のような物で内部にＲＯＭ、ＲＡＭ、ＥＥＰＲＯＭを含む。本件ではＥＥＰＲＯＭのような電気的にデ−タを書き換え出来、かつ、電源を断ってもデ−タが消えない物を不揮発性記憶素子と言い、ＲＯＭの部分はあえて、不揮発性記憶素子と言わない事とする。
また、本実施例のマイコンは入力端子が信号を読み取る機能だけでなく、入力端子への信号がロ−からハイ、ハイからロ−に変化した時にプログラムの割込みが発生する機能を有する機能の物として説明する。
【００２０】  続けて回路の説明をする、マイコン６のリセット端子６ｃは抵抗１７を介して＋極に結ばれる（以後、電池１４の＋極、電池１４の−極を単に＋、−極と省略する）。マイコンの発振端子６ｄ、６ｅ間には発振子１８が結ばれると共にコンデンサ−１９が各々結ばれその他端は−極に結ばれる。入力端子６ｆは扉スイッチ１１と抵抗２０の中間点に結ばれ各々の他端は＋極、−極に結ばれる。入力端子６ｇは錠付きスイッチ１３と抵抗２１の中間点に結ばれ、各々の他端は＋極、−極に結ばれる。抵抗２１の両端にはコンデンサ−２２が並列に結ばれ、錠付きスイッチ１３が閉した瞬間にコンデンサ−２２は充電され入力端子６ｇにハイの信号を与えるが、錠付きスイッチ１３が開した時はコンデンサ−２２の電荷が抵抗２１を介して放電される時間の間入力端子６ｇにハイを保つ作用を行う。この時間は錠付きスイッチ１３をオフにして扉を開け閉めして外出する一定時間を作る役目をしている。
【００２１】  上記入力端子６ｆ，６ｇは本実施例では入力端子変化割込み機能として用いられている。また、上記２本の入力端子が本発明の必須であり、以後説明する３本の入力端子は補足機能である。その１つ、入力端子６ｈには規定時間スイッチ２３と抵抗２４の中間点が結ばれその各々の他端は＋極、−極に結ばれる。また、入力端子６ｉには警報時間スイッチ２５と抵抗２６の中間点が結ばれその各々の他端は＋極と−極に結ばれる。また、入力端子６ｊにはチャイム機能選択スイッチ２７と抵抗２８の中間点が結ばれその各々の他端は＋極、−極に結ばれる。以上のスイッチ配線で＋極、−極は各々逆にしてもよい、すなわち、論理を逆にしてもよい。
【００２２】  マイコンの出力端子６ｋからはＬＥＤ７、抵抗２９、ツェナ−ダイオード３０、−極へ結ばれている。他の出力端子６１からはスピ−カ−駆動回路３１の入力端子に信号が与えられ、スピ−カ−駆動回路の出力端はスピ−カ−８を介し＋極に結ばれ、グランド端子は−極に結ばれている。
【００２３】  さて、図５のフロ−チャ−トと図４の回路図の双方を使いながら動作の説明をする。
初めての電源投入を行うと（ａ）のメインプログラムを一回だけ実行する。スタ−トすると、Ｓ１で割込み禁止をし、次のＳ２、Ｓ３、Ｓ４、Ｓ５での設定を確実に行える環境にする。Ｓ２のマイコンの初期設定ではプルアップ抵抗を使用しない様にする、外付け部品を少なく出来るようにプルアップ抵抗が内蔵されているが消費電流を少なくする場合には使わない設定が望ましい。また、ポ−トの入出力を設定する。マイコンは汎用性を高める為、入出力はソフトで決める、図４では５本を入力に２本を出力にと決めている。
【００２４】  Ｓ３では設定スイッチ読込を行うが、前にも述べたが記憶型侵入警報装置の必須の項目ではなく、省略してもよい。規定時間設定は短？長？とは図４の入力端子６ｈが規定スイッチ２３のオン、オフでロ−、ハイのどちらであるかを読み取り、ＲＡＭの規定時間ＲＡＭにロ−、ハイに応じ数値を書き込む事で例えば短なら１０秒、長なら２０秒を意味するデ−タを書き込む。警報時間設定は短？長？も同様で入力端子６ｉのロ−、ハイで例えば２４時間、４８時間に対応する数値をＲＡＭの警報時間ＲＡＭに書き込む。チャイム機能有？無？も同様でスイッチによる入力端子６ｊのロ−、ハイに応じてＲＡＭのチャイム機能ＲＡＭに０か１かを書込み、後に判定に用いる。
【００２５】  Ｓ４では出力の初期化を行う。具体的にはスピ−カ−である警報器の出力をオフにすることであり、ＬＥＤを消灯させることである。次に、Ｓ５で割込みの許可をする。割り込みの種類は種種有るが、この事例ではポ−ト入力変化割込みに対して割込みを許可する。
重複するが、以上のプログラムは電源投入時の一回のみ実行される。
【００２６】  Ｓ６では命令でスリ−プモ−ドに入り、割込み要因の発生を待つ状態となる。スリ−プモ−ド（待機状態とも言う）では、発振も停止し、消費電流を極端に少なくすることが出来、後に述べる筐体を開いての不正行為を防止する為の開けにくい筐体実現に重要な技術である。
【００２７】  割込み要因は図４では、入力端子６ｆが変化する時、すなわち、扉スイッチ１１が切り換った時と錠付きスイッチ１３が切り換った時であり、各々の開から閉、閉から開の４種類の要因で（ｂ）で示す割込み処理を行い、処理後Ｓ６のスリ−プモ−ドへと帰る。
【００２８】  次に、（ｂ）の割込み処理を説明する。Ｓ７ではレジスタ−待避が行われる、これは、（ａ）のメインプログラムで使われていたレジスタ−の内容が割込み処理を実行する事で変化し、復帰後のメインプログラムが影響を受ける害を防ぐ行為である。
Ｓ８では電気的に書き換えが可能な不揮発性記憶素子であるＥＥＰＲＯＭの侵入記憶を格納する領域のデ−タが、プログラム操作が容易なＲＡＭの特定の領域に移動される。具体的にはＥＥＰＲＯＭのＥＥＭＥＭＯと名前が付けられた住所のデ−タをＲＡＭのＭＥＭＯと名前の付けられた住所へ転送することであり、内容が０なら侵入記憶無し、１なら侵入記憶有りとする。また、マイコンにプログラムが書き込まれる時にはＥＥＰＲＯＭには０が書き込まれるとする。
【００２９】  Ｓ９では転送されたＲＡＭの内容で侵入記憶の有無が判定され、今、０で侵入記憶が無ければＳ１０へ進む。Ｓ１０では錠付きスイッチの状態で在宅中、外出をちょうどしようとしている時か？又は、帰宅時、侵入された時かの判断がされる。今、在宅とし、ＯＮでＳ１１の扉スイッチの判定へ進んだとする。スイッチが閉で扉も開かれていないなら、後に説明するＳ１２、Ｓ１３、Ｓ１４を実行しメインプログラムのＳ６に復帰する。前にも説明したが、割込みは入力端子６ｆ，６ｇのいずれかが変化した時に実行される。上記のＳ１１の「閉」に抜けるのは外出しようと錠付きスイッチをＯＮさせたが外出は取りやめ、扉を開けなかった時に相当する。
【００３０】  次に、Ｓ１１で扉スイッチを開して外出をしたとする、この時にはＳ１０の錠付きスイッチ１３をＯＦＦした後、図４の抵抗２１とコンデンサ−２２の作る一定時間内に扉を開閉して出る必要がある。さもないと、Ｓ１０での判定のＯＦＦ側となる。さて、Ｓ１５に達するとＳ１５のチャイム機能有設定かが判定される。具体的にはＲＡＭの特定の住所のチャイム機能ＲＡＭの内容が調べられ、０で無使用ならＳ１２へ分岐し１で使用とされていれば、Ｓ１６に進み１秒ほど図４の出力端子６１に出力し、スピ−カ−駆動回路３１を介してスピ−カ−にピンポ−ン、ピンポ−ンの音声を出させる。
ここで、コンデンサ−２２を用いなくともソフトで上記一定時間を作る事はできる。しかし、消費電流を少なくする為には抵抗２１は１メグオ−ム程と大きな抵抗値とするのが望ましく、逆に抵抗値が大きいと侵入犯に強力電波で不正を行われる弱点になる。強い電波は抵抗２１に電圧を発生させ、入力端子６ｇにハイの電位を与え、鍵操作がされていないのに誤判断をさせるのである。防犯の機能としてコンデンサ−の働きは重要である。
不正に関し今１つ述べる。扉スイッチ１１のリ−ドスイッチ９も強力磁石で誤作動させれる。強力磁石でリ−ドスイッチを閉にしておき、ほんの少し扉を開き、リ−ドスイッチを閉にしながら身体が入れるほどに扉を開けばよい。これに対して、図１では遮磁板１５が磁石１０には磁路を開いているが、直行方向の磁路は遮蔽する様に配置され、耐性を向上させている。
【００３１】図５に戻り、Ｓ１６の処理後はＳ１２へ進む、Ｓ１２では次の割込みを実行しうる状態にするため、割り込みフラグをクリヤ−する。次に、Ｓ１３へ行きＳ７で待避したレジスタ−を復帰させ、Ｓ１４の復帰命令でメインプログラムのＳ６へ復帰する。
【００３２】  次に、帰宅又は侵入で扉が開き割込みプログラムが実行されたとする。Ｓ７、Ｓ８、Ｓ９と実行され、いまだ、侵入記憶無でＳ１０へ進み、扉が開いただけではまだ錠付きスイッチ１３はＯＦＦであるからＳ１７へ進み、Ｓ１７では扉を開いたからここまで進んだのであるからスイッチは開でＳ１８へ進む。規定時間タイマ−セットとはＳ３でＲＡＭの規定時間ＲＡＭに収めた数値をＲＡＭのタイマ−カウンタ−に入れる事である。
【００３３】  次に、Ｓ１９で錠付きスイッチがオンに成ったか否かが判定される。扉を開け、鍵を瞬時に錠に入れる事は出来ないから、Ｓ２０の規定時間経過？の判定に進み、いまだ、規定時間は経過していないのでＳ２１のＬＥＤ点滅作業へ進む。図４では出力端子６ｋがハイになり、抵抗２９、ツェナ−ダイオ−ド３０を介して電流をＬＥＤに流し発光させるのである。０．５秒ＯＮ、０．５秒ＯＦＦ程にするのは注意を引き易く、且つ、電流消費が少ないからである。ツェナ−ダイオ−ド又は普通のダイオ−ドを挿入するには重要な意味が有る。本実施例の回路では５年間以上電池交換が無用なほど電流消費が少ない。結果、電池消耗を見落とすと、いざ、警報を長く鳴らし続けて帰宅時に異常を知らせようとしても、電池が空に成り、異常を報知できないという不具合が生じる。よって、警報器が十分作動する電圧に対して早めにＬＥＤが視認でできなくさせる必要がある。
【００３４】  Ｓ２１では０．５秒毎にＳ１９の前に戻り錠付きスイッチがＯＮしたかが判定される。住人なら鍵で速やかにＯＮに出来、Ｓ２２のＬＥＤ消灯作業へ進む。ここで、ＬＥＤ消灯が必要なのはＳ２１でＬＥＤがＯＮのタイミングでＳ１９がＯＮ判定されると、以後、ＬＥＤが点灯のままに成るからである。
【００３５】  さて、扉を開いたのが侵入者でＳ２０の規定時間の１０秒とか２０秒が経過したとする。Ｓ２３へ進み、ＲＡＭのＭＥＭＯに１がセットされる。勿論、１でなくとも、侵入時、正常時が区別できる値なら数値は問わない。ＲＡＭの値は電源が断になれば消えるので、Ｓ２４でＥＥＰＲＯＭにその値を書込む。次に、既に説明したＳ２２、Ｓ１２、Ｓ１３、Ｓ１４と進みメインプログラムに復帰する。
【００３６】メインに戻ったプログラムは侵入者が扉を開けて逃げる時に扉スイッチ１１の変化で再び割込みプログラムを実行する。すなわち、Ｓ７、Ｓ８、Ｓ９と進み、ここでＭＥＭＯが有るからＳ２５へ進む、警報時間セットとはＳ３で警報時間ＲＡＭという住所のＲＡＭに書き込まれた値がＲＡＭの警報時間カウンタ−にセットされるということである。２４時間とか４８時間の長い時間であり、数値は３バイトで表す（振動子を３２．７６８ＫＨｚとする）。
【００３７】  つぎに、Ｓ２６へ進み、２４時間等の警報時間が経過したかが判定される。勿論、経過してないからＳ２７へ進み、警報作動で警報器８が警報を発する。警報は０．５秒程の繰り返し音とし、注意を引くと共にＯＮ時間を短くして消費電流を少なくする。本件では２４時等長時間連続作動を基本としているが、それは、以下の様に考えるからである。
警報音は小さくてよい。大きな音で侵入犯を撃退は重要だ、しかし、大きな音で近所の人が来てくれて人身災害に成って欲しくない。また、来てくれない時代だ。物が取られる程度は我慢する。侵入を早期発見し対処する事が大切だ。特に帰宅して家に入る前、又は入った瞬間侵入の有無を知り人身災害だけは避けたい。だから、扉の前で聞こえる程度の音量で十分だ、しかし、電池は長時間もって、帰宅時確実に知らせて欲しい。
【００３８】  さて、Ｓ２６に戻り、住人が帰宅して警報音を確認したとする。又は、侵入犯が扉以外から逃走した為、住人の扉スイッチの作動で割込みプログラムが作動し始めての警報音を確認したとする。警報音は経過時間が経過終了していないので止まらない。住人と言えども止める方法は無い。筐体に袋を被せる等音量を小さくする以外方法は無い。電池を抜けば止まるが、再度使用しようと電池を入れると、新たに２４時間等設定された警報時間分作動する。とにかく警報時間の経過を我慢するとＳ２８へ進み、ＲＡＭのＭＥＭＯがクリヤ−され、Ｓ２９でＭＥＭＯのクラヤ−された値がＥＥＰＲＯＭに書き込まれて侵入記憶は消されてＳ１２、Ｓ１３、Ｓ１４と進み元の状態に復帰する。以上が本実施例の構成と動作である。
【００３９】  さて、課題と対比しながら本実施例の効用、効果を確認する。課題は背景技術で述べた（１）〜（８）の（３）と（８）即ち本件の課題（１）と（２）に関して述べる。
（１）本件発明と直接には関係しないような侵入警報装置の説明を長々と行いましたが、「規定時間内に筐体を開け、電池を抜く、錠付きスイッチを内部で短絡する行為」はコンピュ−タ−をいかに高度に使おうと、個人認識に指紋照合、瞳孔照合等いかに高度な技術を使おうと対応出来ない事を示すためもあって記載してきました。この困難な問題が単にネジ栓で筐体を開くに要する時間を長くするだけで解決できる事は記憶型侵入警報装置にとって信頼性を高めかつ安価にし、広く安全用品を広める上で効用が大きい事を述べます。
【００４０】（２）侵入者が量産され、見た目同一の警報装置を持参し、取り替えて帰った場合の対応は、錠付きスイッチで取替え品では鍵が刺さらないはずと言う考えは前述したようにどんな鍵でも受け付ける錠内筒に改造されることで、発見が困難である。暗証番号方式も前述した通りであり、いかに警報装置を高度化しても弱点が明確になったのであるが、本件に示す固有シ−トで大量生産品を「一個しか無い物」に変化される事で解決でき、安価でありながら本質的な大きな効果を有する。
【００４１】  以上、明細書で述べて来た記憶型侵入警報装置の筐体は実施例の図が示すように極めて簡単な構成であり、安価に提供でき、別願の「記憶型侵入警報装置」と相待って、操作が簡単で老人こそ犯罪に巻き込まれる悪い時代にあって極めて有用な働きをする。また、永い年月を防犯機器の開発に注力して来た本件出願人は不正行為者の視点にも立って検討してきているので不正に対する耐性が強い侵入警報装置であると自認します。
【図面の簡単な説明】
【００４２】
【００４３】
【図１】  本発明の記憶型侵入警報装置の筐体の実施例を示す説明図。
【図２】  本発明の記憶型侵入警報装置の筐体の実施例を示す説明図。
【図３】  本発明のネジ栓を説明する説明図
【図４】  本発明の背景の記憶型侵入警報装置の回路を示す説明図。
【図５】  本発明の背景の記憶型侵入警報装置を説明するフロ−チャ−ト図
【符号の説明】
【００４４】１…………………………筐体
２…………………………上蓋
３…………………………下蓋
４…………………………ネジ
５…………………………プリント基板
６…………………………マイクロコンピュ−タ−（マイコン、不揮発性記憶素子）
７…………………………ＬＥＤ
８…………………………スピ−カ−（警報器）
９…………………………リ−ドスイッチ
１０………………………磁石
１１………………………扉スイッチ
１２………………………鍵
１３………………………錠付きスイッチ（在宅判定スイッチ）
１３ａ……………………錠外筒
１３ｂ……………………錠内筒
１３ｃ……………………操作悍
１３ｄ……………………接点板
１４………………………電池
１５………………………遮磁板
１６………………………両面接着テ−プ
１７………………………抵抗
１８………………………発振子
１９………………………コンデンサ−
２０………………………抵抗
２１………………………抵抗
２２………………………コンデンサ−
２３………………………規定時間スイッチ
２４………………………抵抗
２５………………………警報時間スイッチ
２６………………………抵抗
２７………………………チャイム機能選択スイッチ
２８………………………抵抗
２９………………………抵抗
３０………………………ツェナ−ダイオ−ド
３１………………………スピ−カ−駆動回路
３２………………………ネジ栓
３３………………………固有シ−ト
３４………………………接着シ−ト
３５………………………ネジ栓
３６………………………ネジ栓固定ネジ
３７………………………ネジ栓
【図１】
2008140354.tif 000003
【図２】
2008140354.tif 000004
【図３】
2008140354.tif 000005
【図４】
2008140354.tif 000006
【図５】
2008140354.tif 000007